(57)【特許請求の範囲】
【請求項１】
液晶ディスプレイを有するカウンタ機器のケース内部において、該ケースの前側にＬＣＤを配置するとともに、前記ＬＣＤの後方側にスイッチ専用導電パターンを形成したプリント基板を配置し、また、前記ＬＣＤの下方側にスイッチ作動部材を配置し、更に、前記ＬＣＤと前記プリント基板に形成したスイッチ専用導電パターンとの間に、絶縁性弾性材及び導電性弾性材を交互に配置して該導電性弾性材の両端部が表出するように成形したコネクタを配置して、前記導電性弾性材の一方の端部が前記スイッチ専用導電パターンに接続しているとともに、前記導電性弾性材の他方の端部を前記プリント基板とともに前記ＬＣＤの下方に突出させることによって前記導電性弾性材に前記スイッチ作動部材を向き合わすように配置させて、前記導電性弾性材の他方の端部と前記スイッチ作動部材とが互いに接離可能になるように構成したことを特徴とするカウンタ機器。
【発明の詳細な説明】
【０００１】
【発明の属する技術分野】
本発明は、液晶ディスプレイを有するカウンタ機器に関するものである。
【０００２】
この種のカウンタ機器における液晶ディスプレイ接続構造は、図１０及び図１１に示すように、導電性弾性材を中にしてその両側面に絶縁性弾性材を配して角柱体に成形し且つその両側面部に導電性弾性材の端部を表出させた弾性を有するコネクタ５２を用いて、コネクタ５２の一方の側面部５２ａをＬＣＤ（液晶ディスプレイ）５３に接触させると共に、コネクタ５２の他方の側面部５２ｂをプリント基板５４に接触させて構成してある。
【０００３】
また、カウンタ機器におけるスイッチ構造は、図１１に示すように、ケース５５の前面部５５Ａの下部にスイッチ挿入孔部５６を設けて、この前面部５５Ａの内面側にスイッチ挿入孔部５６に連通するガイド部５７を設け、スイッチ挿入孔部５６に設けたスイッチ作動部材（リセットスイッチ）５８をガイド部５７により案内保持させて、スイッチ作動部材５８のスイッチ作動部５９がプリント基板５４のスイッチ部分に接触できるようにして構成してあった。
【０００４】
また、図１２乃至図１４に示すように、ケース５５の前面部５５Ａの下部に複数のスイッチを有する制御機器にあっては、複数のスイッチのスイッチ作動部材５８に対応するメカニカルキースイッチ６０をプリント基板５４に実装していた。
【０００５】
また、図１５に示すように、ＬＣＤ（液晶ディスプレイ）５３に対してプリント基板５４を垂直に配置する構成の場合には、ＬＣＤ５３とプリント基板５４とをヒートシールやフレキシブルプリント基板（ＦＰＣ）６１で互いに接続していた。
【０００６】
【発明が解決しようとする課題】
しかしながら、上記した従来のスイッチ構造（図１０及び図１１に示すスイッチ構造）にあっては、スイッチ押圧時の安定感を得るためにガイド部５７が必要であり、このガイド部５７の設計が困難であったし、また、ガイド部５７があるために、コネクタ５２をより下方に配置することができず、このために、ＬＣＤ５３により広い面積のものを用いることができなかった。
【０００７】
また、図１２乃至図１４に示すように、ケース５５の前面部５５Ａの下部に複数のスイッチを有する制御機器にあっては、スイッチ作動部材５８と同数個のメカニカルキースイッチ６０が必要であるために、部品点数が多くなるという問題点があった。
【０００８】
また、図１５に示すように、ＬＣＤ５３に対してプリント基板５４を垂直に配置する構成の場合には、ヒートシールやフレキシブルプリント基板（ＦＰＣ）６１があるために、ケースの前面にスイッチを設けることが困難になるという問題点があった。
【０００９】
本発明は、上記の問題点に着目して成されたものであって、その目的とするところは、コネクタをより下方に配置することを可能にし得て、ディスプレイ（ＬＣＤ）により広い面積のものを用いることができるカウンタ機器を提供することにある。
【００１１】
【課題を解決するための手段】
上記の目的を達成するために、本発明に係るカウンタ機器は、液晶ディスプレイを有するカウンタ機器のケース内部において、該ケースの前側にＬＣＤを配置するとともに、前記ＬＣＤの後方側にスイッチ専用導電パターンを形成したプリント基板を配置し、また、前記ＬＣＤの下方側にスイッチ作動部材を配置し、更に、前記ＬＣＤと前記プリント基板に形成したスイッチ専用導電パターンとの間に、絶縁性弾性材及び導電性弾性材を交互に配置して該導電性弾性材の両端部が表出するように成形したコネクタを配置して、前記導電性弾性材の一方の端部が前記スイッチ専用導電パターンに接続しているとともに、前記導電性弾性材の他方の端部を前記プリント基板とともに前記ＬＣＤの下方に突出させることによって前記導電性弾性材に前記スイッチ作動部材を向き合わすように配置させて、前記導電性弾性材の他方の端部と前記スイッチ作動部材とが互いに接離可能になるように構成したことを特徴とする。
【００１２】
かかる構成により、スイッチ作動部材を押すことにより、このスイッチ作動部材のスイッチ作動部コネクタの一の側面部に配置された導電性弾性材に接触することにより、スイッチ作動部材がコネクタの導電性弾性材を介してプリント基板のスイッチ専用導電パターンに接続してスイッチ・オンの状態になり、また、スイッチ作動部材の押圧を解除することにより、このスイッチ作動部を導電性弾性材より離して、スイッチ・オフの状態にすることができる。このために、スイッチ作動部をプリント基板のスイッチ部分に案内しスイッチ押圧時の安定感を得るためのガイド部を不要にすることができる。このように、ガイド部を不要にすることができるために、コネクタをより下方に配置することができ、このために、プリント基板にコネクタを介して接続されるディスプレイ（ＬＣＤ）により広い面積のものを用いることができる。
【００２３】
【発明の実施の形態】
以下、本発明の実施の形態を図面に基づいて説明する。
【００２４】
（第１の実施の形態）
本発明に係る制御機器のスイッチ構造を図１乃至図４に示す。
【００２５】
図１は本発明に係る制御機器（カウンタ機器）の斜視図、図２は同制御機器におけるＬＣＤとコネクタとスイッチ部との配置説明図、図３の（１）は本発明に係るスイッチ構造（第１の実施の形態）の縦断面図、図３の（２）はリセットスイッチ部の断面図、図４はプリント基板とコネクタとＬＣＤとスイッチ部との配置説明図である。
【００２６】
制御機器Ａは機器本体１の内部に、電子部品（図示せず）を実装したプリント基板２と、このプリント基板２にコネクタ３を介して導通されたＬＣＤ（液晶ディスプレイ）（ディスプレイ）４と、バックライトユニット（図示せず）と、電源ユニット（図示せず）を備えている。
【００２７】
すなわち、機器本体１は透明な合成樹脂製のケース６を有しており、このケース６は、前面部６Ａと、左、右面部６Ｂ、６Ｃと、上、下面部６Ｄ、６Ｅとを有する、後面部が開放されたボックス形状をしており、ケース６の前面部６Ａには窓部７とスイッチ取付用孔部８とが形成してある。そして、このスイッチ取付用孔部８にはリセットスイッチ９が装着してあり、このリセットスイッチ９は、図３の（２）に示すようにスイッチ作動部材９Ａを備えており、このスイッチ作動部材９Ａには皿状ばね部９Ｂが形成してある。そして、この皿状ばね部９Ｂをスイッチ取付用孔部８の段部８Ａに沿わせて押え部材９Ｃをスイッチ取付用孔部８に嵌合して皿状ばね部９Ｂを保持してリセットスイッチ９がスイッチ取付用孔部８に取り付けてあり、スイッチ作動部材９Ａの後端部（スイッチ作動部）をケース６内に突入している。
【００２８】
また、ＬＣＤ４は、ケース６の前面部６Ａの内面側に沿う長方形状の板状体であり、このＬＣＤ４の後面部４ａの下部には左右方向（紙面に対して垂直方向）に沿う切欠きより成るコネクタ接触部１２が形成してある。このコネクタ接触部１２にはＬＣＤ４の電極に連なるパターン端子（図示せず）（電気接点部）が左右方向（紙面に対して垂直方向）が多数形成してある。
【００２９】
また、導通部材であるコネクタ３は、図９に示すように絶縁性弾性材（例えば絶縁性ゴム）３Ａと、導電性弾性材（例えば導電性ゴム）３Ｂとを交互に配置して四角柱体に成形して構成してあり、このコネクタ３の４つの側面部２０ａ、２０ｂ、２０ｃ、２０ｄには同じ導電性弾性材３Ｂの端面２１ａ、２１ｂ、２１ｃ、２１ｄが表出している。
【００３０】
そして、ケース６内には、その前側にＬＣＤ（液晶ディスプレイ）４が、このＬＣＤ４の後方にプリント基板２がそれぞれケース６の軸線イに対して垂直方向に向けて配置してあり、ＬＣＤ４とプリント基板２との間にはコネクタ３が介装してある。そして、このコネクタ３の前側面部２０ｂがコネクタ接触部１２に接していて、ＬＣＤ４の電極に連なるパターン端子がコネクタ３の前側面部２０ｂに配置された多数の導電性弾性材３Ｂに接触している。
【００３１】
また、コネクタ３の後側面部２０ｄがプリント基板２に接しており、プリント基板２に形成された多数の導電パターン（図示せず）に、コネクタ３の後側面部２０ｄに配置された多数の導電性弾性材３Ｂが接触していて、導電性弾性材３Ｂはプリント基板２のスイッチ専用導電パターン（電気接点部）（図示せず）に接触している。したがって、ＬＣＤ４の電極に連なるパターン端子はコネクタ３を介してプリント基板２の導電パターンに接続している。
【００３２】
また、コネクタ３の下側部位３Ａはプリント基板２の下端部とともにＬＣＤ４の下方に突出していて、このコネクタ３の下側部位３Ａの前側面部２０ｂに配置された導電性弾性材３Ｂの前方にリセットスイッチ９のスイッチ作動部材９Ａが向き合うように配置されている。
【００３３】
次に、上記のように構成されたスイッチ構造の作動を説明する。
【００３４】
リセットスイッチ９を押すことにより、スイッチ作動部材９Ａを皿状ばね部９Ｂのばね力に抗して後方に移動させて、このスイッチ作動部材９Ａの後端部がコネクタ３の下側部位３Ａの前側面部２０ｂに配置された導電性弾性材３Ｂに接触することにより、スイッチ作動部材９Ａがコネクタ３の導電性弾性材３Ｂを介してプリント基板２のスイッチ専用導電パターンに接続してスイッチ・オンの状態になる。また、リセットスイッチ９の押圧を解除することにより、皿状ばね部９Ｂのばね力でスイッチ作動部材９Ａを前方に移動させてスイッチ作動部材９Ａの後端部を導電性弾性材３Ｂより離れ、スイッチ・オフの状態になる。
【００３５】
上記した本発明の第１の実施の形態にあっては、絶縁性弾性材３Ａと導電性弾性材３Ｂとを交互に配して角柱体に成形し且つその４つの面部に導電性弾性材３Ｂの端部を表出させたコネクタ３の後側面部２０ｄをプリント基板２に接触して、導電性弾性材３Ｂの端部をプリント基板２の電気接点部に接触させ、コネクタ３の前側面部２０ｂにおける導電性弾性材３Ｂの端部をスイッチ作動部との電気接点部にしたために、スイッチ作動部をプリント基板２のスイッチ部分に案内しスイッチ押圧時の安定感を得るためのガイド部を不要にすることができる。このように、ガイド部を不要にすることができるために、図２に示すようにコネクタ３をより下方に配置することができ、このために、プリント基板２にコネクタ３を介して接続されるＬＣＤ４により広い面積のものを用いることができる。
【００３６】
（第２の実施の形態）
本発明に係るスイッチ構造の第２の実施の形態を図５乃至図７に示す。
【００３７】
本発明に係るスイッチ構造の第２の実施の形態は、ケース６の前面部６Ａに窓部７の下方に位置されて複数のスイッチ９−１、９−２、９−３、９−４を左右方向に所定の間隔をおいて配置しており、これらのスイッチ９−１〜９−４は、上記した本発明の第１の実施の形態のリセットスイッチ９と同じ構成であり、また、スイッチ９−１〜９−４は、ケース６の前面部６Ａに設けたスイッチ取付用孔部８に上記した本発明の第１の実施の形態の場合と同様に装着してある。
【００３８】
そして、ケース６内には、その前側にＬＣＤ４が、このＬＣＤ４の後方にプリント基板２がそれぞれケース６の軸線イに対して垂直方向に向けて配置してあり、ＬＣＤ４とプリント基板２との間にはコネクタ３が介装してある。そして、このコネクタ３の前側面部２０ｂがコネクタ接触部１２に接していて、ＬＣＤ４の電極に連なるパターン端子（電気接点部）がコネクタ３の前側面部２０ｂに配置された多数の導電性弾性材３Ｂに接触している。
【００３９】
また、コネクタ３の後側面部２０ｄがプリント基板２に接しており、プリント基板２に形成された多数の導電パターン（電気接点部）（図示せず）に、コネクタ３の後側面部２０ｄに配置された多数の導電性弾性材３Ｂに接触していて、ＬＣＤ４の電極に連なるパターン端子はコネクタ３を介してプリント基板２の導電パターン（電気接点部）に接続している。
【００４０】
また、プリント基板２には、コネクタ３とは別に、このコネクタ３の下方に且つ平行にスイッチ用コネクタ２１が実装してある。このスイッチ用コネクタ２１はコネクタ３と同様に図９に示すように絶縁性弾性材（例えば絶縁性ゴム）３Ａと、導電性弾性材（例えば導電性ゴム）３Ｂとを交互に配置して四角柱体に成形して構成してあり、このコネクタ３の４つの側面部２０ａ、２０ｂ、２０ｃ、２０ｄには同じ導電性弾性材３Ｂの端面２１ａ、２１ｂ、２１ｃ、２１ｄが表出している。そして、導電性弾性材３Ｂはプリント基板２のスイッチ専用導電パターン（電気接点部）（図示せず）に接触している。
【００４１】
そして、このスイッチ用コネクタ２１の前側面部２０ｂに配置された導電性弾性材３Ｂの前方に各スイッチ９−１〜９−４のスイッチ作動部材９Ａが位置している。
【００４２】
次に、上記のように構成された制御機器のスイッチ構造の作動を説明する。
【００４３】
スイッチ９−１〜９−４を押すことにより、スイッチ作動部材９Ａを皿状ばね部９Ｂのばね力に抗して後方に移動させて、このスイッチ作動部材９Ａの後端部がスイッチ用コネクタ２１の前側面部２０ｂに配置された導電性弾性材３Ｂに接触することにより、スイッチ作動部材９Ａがスイッチ用コネクタ２１の導電性弾性材３Ｂを介してプリント基板２のスイッチ専用導電パターンに接続してスイッチ・オンの状態になる。また、スイッチ９−１〜９−４の押圧を解除することにより、皿状ばね部９Ｂのばね力でスイッチ作動部材９Ａを前方に移動させてスイッチ作動部材９Ａの後端部を導電性弾性材３Ｂより離れてスイッチ・オフの状態になる。
【００４４】
上記した本発明の第２の実施の形態にあっては、プリント基板２に、ＬＣＤ４との間の導通を図るコネクタ３の他に、スイッチ用コネクタ２１を実装し、このスイッチ用コネクタ２１における導電性弾性材３Ｂの端部を複数のスイッチ作動部との電気接点部にしたために、複数のスイッチ作動部の電気接点部に得ることができる。
【００４５】
（第３の実施の形態）
本発明に係るスイッチ構造の第３の実施の形態を図８に示す。
【００４６】
本発明に係るスイッチ構造の第３の実施の形態は制御機器Ａに組み込まれている。この制御機器Ａは機器本体３１の内部に、電子部品（図示せず）を実装したプリント基板３２と、このプリント基板３２にコネクタ３３を介して導通されたＬＣＤ（液晶ディスプレイ）（ディスプレイ）３４、バックライトユニット３５と、電源ユニット３６とを備えている。
【００４７】
すなわち、機器本体３１を構成するケース３０は前、後面部が開放されたボックス形状をしており、ケース３０の下面部３０Ｅの内面には、前面開口部３０Ｆに近付けて仕切り壁部２２が形成してあり、この仕切り壁部２２より前方がコネクタセット部２３にしてある。また、ケース３０の前側部にはカバー装着部２４が形成してある。また、ケース３０の上面部３０ｄの内面には、前面開口部３０Ｆに近付けて仕切り壁部２５が形成してあり、この仕切り壁部２５より前方がＬＣＤセット部２６にしてあり、仕切り壁部２５の後方がバックアップセット部２７にしてある。
【００４８】
そして、コネクタセット部２３には、上記した発明の第１の実施の形態におけるコネクタ３と同様な導通部材であるコネクタ３３がセットしてあり、また、ＬＣＤセット部２６には上記した発明の第１の実施の形態におけるＬＣＤ４と同様なＬＣＤ３４がセットしてある。また、プリント基板３２は、コネクタ３３に対して垂直に且つケース３０の軸線方向イに配置してある。
【００４９】
そして、このコネクタ３３の前側面部２０ｂの一部がコネクタ接触部１２に接していて、ＬＣＤ３４の電極に連なるパターン端子（電気接点部）がコネクタ３３の前側面部２０ｂに配置された多数の導電性弾性材３Ｂに接触している。
【００５０】
また、コネクタ３３の上側面部２０ａがプリント基板３２に接しており、プリント基板３２に形成された多数の導電パターン（電気接点部）（図示せず）に、コネクタ３３の上側面部２０ａに配置された多数の導電性弾性材３Ｂに接触していて、ＬＣＤ３４の電極に連なるパターン端子はコネクタ３３を介してプリント基板３２の導電パターン（電気接点部）に接続している。
【００５１】
また、ケース３０の前側部のカバー装着部２４にはフロントカバー４０が着脱可能に取り付けてあり、このフロントカバー４０には窓部４１とスイッチ取付用孔部４２とが形成してある。そして、このスイッチ取付用孔部４２にはリセットスイッチ４３が装着してあり、このリセットスイッチ４３は、スイッチ作動部材４３Ａを備えており、このスイッチ作動部材４３Ａには皿状ばね部４３Ｂが形成してあり、この皿状ばね部４３Ｂをスイッチ取付用孔部４２の段部４２Ａに沿わせて押え部材４４をスイッチ取付用孔部４２に嵌合して皿状ばね部４３Ｂを保持し、スイッチ作動部材４３Ａの後端部をケース３０内に突入している。
【００５２】
そして、このコネクタ３３の前側面部２０ｂに配置された導電性弾性材３Ｂの前方にリセットスイッチ４３のスイッチ作動部材４３Ａが位置している。
【００５３】
次に、上記のように構成されたスイッチ構造の作動を説明する。
【００５４】
リセットスイッチ４３を押すことにより、スイッチ作動部材４３Ａを皿状ばね部４３Ｂのばね力に抗して後方に移動させて、このスイッチ作動部材４３Ａの後端部がコネクタ３３の左側部位の前側面部２０ｂに配置された導電性弾性材３Ｂに接触することにより、スイッチ作動部材４３Ａがコネクタ３３の導電性弾性材３Ｂを介してプリント基板３２のスイッチ専用導電パターンに接続してスイッチ・オンの状態になる。また、リセットスイッチ４３の押圧を解除することにより、皿状ばね部４３Ｂのばね力でスイッチ作動部材４３Ａを前方に移動させてスイッチ作動部材４３Ａの後端部を導電性弾性材３Ｂより離して、スイッチ・オフの状態になる。
【００５５】
上記した本発明の第３の実施の形態にあっては、コネクタ３３の下側面部をプリント基板３２に接触して、導電性弾性材３Ｂの端部をプリント基板３２の電気接点部に接触させると共に、コネクタ３３のプリント基板３２との接触面に対して直角をなす前側面部２０ｂをＬＣＤ３４に接触させて、導電性弾性材２０Ｂの端部をＬＣＤ３４の電気接点部に接触させ、コネクタ３３の前側面部２０ｂにおける導電性弾性材３Ｂの端部をスイッチ作動部との電気接点部にしたＴＡＭＥＮＩ、ＬＣＤ３４に対してプリント基板３２を垂直に配置する構成であっても、ヒートシールやフレキシブルプリント基板（ＦＰＣ）が不要になって、ケースの前面に容易にスイッチを設けることができる。
【００５６】
【発明の効果】
以上説明したように、本発明に係るカウンタ機器によれば、スイッチ作動部材を押すことにより、スイッチ作動部材のスイッチ作動部がコネクタの一の側面部に配置された導電性弾性材に接触することにより、スイッチ作動部材がコネクタの導電性弾性材を介してプリント基板のスイッチ専用導電パターンに接続してスイッチ・オンの状態になり、また、スイッチ作動部材の押圧を解除することにより、このスイッチ作動部を導電性弾性材より離して、スイッチ・オフの状態にすることができる。このために、スイッチ作動部をプリント基板のスイッチ部分に案内しスイッチ押圧時の安定感を得るためのガイド部を不要にすることができる。このように、ガイド部を不要にすることができるために、コネクタをより下方に配置することができ、このために、プリント基板にコネクタを介して接続されるディスプレイ（ＬＣＤ）により広い面積のものを用いることができる。
【図面の簡単な説明】
【図１】本発明に係る制御機器の斜視図である。
【図２】同制御機器におけるＬＣＤとコネクタとスイッチ部との配置説明図である。
【図３】（１）は本発明に係るスイッチ構造（第１の実施の形態）の縦断面図である。
（２）はリセットスイッチ部の断面図である。
【図４】プリント基板とコネクタとＬＣＤとスイッチ部との配置説明のために斜視図である。
【図５】制御機器におけるＬＣＤとコネクタとスイッチ部との配置説明図である。
【図６】本発明に係るスイッチ構造（第２の実施の形態）の縦断面図である。
【図７】プリント基板とコネクタとＬＣＤとスイッチ部との配置説明のために斜視図である。
【図８】本発明に係るスイッチ構造（第３の実施の形態）を備えた制御機器の縦断面図である。
【図９】コネクタの斜視図である。
【図１０】従来の制御機器におけるＬＣＤとコネクタとスイッチ部との配置説明図である。
【図１１】従来のスイッチ構造の断面図である。
【図１２】従来の他の制御機器におけるＬＣＤとコネクタとスイッチ部との配置説明図である。
【図１３】従来の他のスイッチ構造の断面図である。
【図１４】プリント基板とコネクタとＬＣＤとスイッチ部との配置説明のために斜視図である。
【図１５】プリント基板とＬＣＤとの配置説明図である。
【符号の説明】
１    機器本体
２    プリント基板
３    コネクタ
３Ａ  絶縁性弾性材
３Ｂ  導電性弾性材
４    ＬＣＤ
６    ケース
７    窓部
８    スイッチ取付用孔部
９    リセットスイッチ（スイッチ）
９Ａ  スイッチ作動部材
９Ｂ  皿状ばね部
【図１】
0003826392.tif 000002
【図２】
0003826392.tif 000003
【図３】
0003826392.tif 000004
【図４】
0003826392.tif 000005
【図５】
0003826392.tif 000006
【図６】
0003826392.tif 000007
【図７】
0003826392.tif 000008
【図８】
0003826392.tif 000009
【図９】
0003826392.tif 000010
【図１０】
0003826392.tif 000011
【図１１】
0003826392.tif 000012
【図１２】
0003826392.tif 000013
【図１３】
0003826392.tif 000014
【図１４】
0003826392.tif 000015
【図１５】
0003826392.tif 000016